(57)【要約】【課題】育毛・発毛剤の液だれを抑制すると共に、塗布の際、頭皮への負担を抑制した育毛・発毛剤容器を提供する。【解決手段】可撓性を有する材料等で形成された育毛・発毛剤が収容される容器本体２と、前記容器本体２に取り付けられた塗布部本体３を介して、前記容器本体２に取り付けられた塗布体５とを備え、前記塗布体５が多孔質焼結体で形成され、かつ前記多孔質焼結体の気孔が、育毛・発毛剤の導出流路となされ、前記容器本体２内の育毛・発毛剤が前記気孔を通して頭皮に塗布される。【選択図】図４
2015208407.tif 000002
【特許請求の範囲】
【請求項１】
育毛・発毛剤が収容された容器本体と、前記容器本体に取り付けられた塗布体、あるいは前記容器本体に取り付けられた塗布部本体を介して、前記容器本体に取り付けられた塗布体とを備え、前記塗布体が多孔質焼結体で形成され、かつ前記多孔質焼結体の気孔が、育毛・発毛剤の導出流路となされることを特徴とする育毛・発毛剤容器。
【請求項２】
前記容器本体が、可撓性を有する材料で形成されていることを特徴とする請求項１記載の育毛・発毛剤容器。
【請求項３】
前記容器本体が、少なくとも空気、水分、光を遮断する可撓性を有するフィルムから構成されていることを特徴とする請求項２記載の育毛・発毛剤容器。
【発明の詳細な説明】
【技術分野】
【０００１】
本発明は育毛・発毛剤容器に関し、例えば、頭皮に塗布する育毛・発毛剤を収容した育毛・発毛剤容器に関するものである。
【背景技術】
【０００２】
従来から、頭皮に塗布する育毛・発毛剤を収容した育毛・発毛剤容器について、種々の提案がなされている。
例えば、特許文献１において提案されている容器は、育毛剤を収納したペン状容器であって、ペン状容器本体の先端部に前記育毛剤が浸透するペン先体を設け、このペン先体で頭皮を押圧することにより、ペン先体を没動させ、育毛剤がペン先体に滲み出るように構成されている。
【０００３】
また特許文献２において提案されている容器は、容器の口部に固定保持されるキャップベースと、このキャップベースの底壁に配置され容器内の内容物を染み込ませてそれを直接塗布面に接触させて内容物を塗布する塗布ヘッドとを備えている。
また前記キャップベースの底壁に容器内の内容物を排出する複数の開口が設けられ、前記塗布ヘッドの全域にほぼ均等に育毛剤を分散させて、一度に広範囲に塗布するように構成されている。
【先行技術文献】
【特許文献】
【０００４】
【特許文献１】特開平９−１５４９５４公報
【特許文献２】特開２００４−０９０９２６公報
【発明の概要】
【発明が解決しようとする課題】
【０００５】
ところで、前記した特許文献１，２に示されたペン先体、塗布ヘッドは、一般的には、スポンジ、フェルト等の材質によって形成されている。そのため、頭皮に対して、前記ペン先体、塗布ヘッドを必要以上に押圧すると、育毛・発毛剤が不必要に吐出され、液だれが生じるという技術的課題があった。
また、前記した特許文献１，２に示されたペン先体、塗布ヘッドを、頭皮に対して押し付けることにより、育毛・発毛剤が不必要に吐出されるように構成されているため、頭皮に負担をかけるという技術的課題があった。
【０００６】
本発明は、上記技術的課題を解決するためになされたものであり、育毛・発毛剤の液だれを抑制すると共に、塗布の際、頭皮への負担を抑制した育毛・発毛剤容器を提供することを目的とするものである。
【課題を解決するための手段】
【０００７】
上記目的を達成するためになされた本発明にかかる育毛・発毛剤容器は、育毛・発毛剤が収容された容器本体と、前記容器本体に取り付けられた塗布体、あるいは前記容器本体に取り付けられた塗布部本体を介して、前記容器本体に取り付けられた塗布体とを備え、前記塗布体が多孔質焼結体で形成され、かつ前記多孔質焼結体の気孔が、育毛・発毛剤の導出流路となされることを特徴としている。
【０００８】
前記したように、本発明にかかる育毛・発毛剤容器は、容器本体に直接取り付けられた塗布体、あるいは前記容器本体に取り付けられた塗布部本体を介して間接的に取り付けられた塗布体を備えている。そして、前記塗布体が多孔質焼結体で形成され、かつ前記多孔質焼結体の気孔が育毛・発毛剤の導出流路として用いられるため、必要以上に育毛・発毛剤が流出することがなく、液だれを抑制することができる。
【０００９】
ここで、前記容器本体が、可撓性を有する材料で形成されていることが望ましい。このように、容器本体が可撓性を有する材料で形成されている場合には、容器本体を押圧あるいは屈曲させることにより、多孔質焼結体からなる塗布体から育毛・発毛剤の導出させることができ、頭皮への負担を抑制することができる。
【００１０】
また、前記容器本体が、少なくとも空気、水分、光を遮断する可撓性を有するフィルムから構成されていることが望ましい。このような容器本体を用いることにより、育毛・発毛剤の変質を抑制することができる。
【発明の効果】
【００１１】
本発明によれば、育毛・発毛剤の液だれを抑制すると共に、塗布の際、頭皮への負担を抑制した育毛・発毛剤容器を得ることができる。
【図面の簡単な説明】
【００１２】
【図１】図１は、本発明にかかる育毛・発毛剤容器の第１の実施形態にかかる斜視図である。
【図２】図２は、図１に示した育毛・発毛剤容器の縦断面図である。
【図３】図３は、図１に示した塗布部本体の斜視図であり、（ａ）は先端部側から見た斜視図、（ｂ）は先端部側から見た斜視図である。
【図４】図４は、図１に示した育毛・発毛剤容器のキャップを外した状態を示す図であって、（ａ）側面図、（ｂ）は縦断面図である。
【図５】図５は、本発明の第２の実施形態にかかる育毛・発毛剤容器及び塗布具の側面図である。
【図６】図６は、図５に示した育毛・発毛剤容器及び塗布具の縦断面図である。
【図７】図７は、図５に示した育毛・発毛剤容器の弁座を示す図であって、（ａ）は先端部側から見た斜視図、（ｂ）は側面図、（ｃ）は縦断面図である。
【図８】図８は、図５に示した塗布具の容器受け体を示す斜視図であって、（ａ）は先端部側から見た斜視図、（ｂ）は先端部側から見た斜視図である。
【図９】図９は、図５に示した育毛・発毛剤容器を塗布具に装着した状態を示す縦断面図である。
【図１０】図１０は、図５に示した育毛・発毛剤容器を頭皮に押し付けた状態を示す縦断面図である。
【発明を実施するための形態】
【００１３】
以下、本発明にかかる育毛・発毛剤容器の第１の実施形態を図１乃至図４に基づいて説明する。この実施形態にかかる育毛・発毛剤容器１は、図１、図２に示すように、袋状のフィルム容器本体２と、前記フィルム容器本体２の開口部２ａに取り付けられた塗布部本体３と、前記塗布部本体３との間で、前記フィルム容器本体２を挟み込み、前記塗布部本体３から前記フィルム容器本体２が脱落するのを防止する固定部材４を備えている。
また、前記育毛・発毛剤容器１は、前記塗布部本体３の先端部に取り付けられた多孔質焼結体からなる塗布体５と、前記塗布部５を覆い、前記塗布部本体３に嵌合するキャップ６を備えている。
【００１４】
前記袋状のフィルム容器本体２内には、例えば、１回あるいは１日、または１週間で使い切る量の育毛・発毛剤が収容されている。
このように、例えば、１回あるいは１日分、または１週間分の育毛・発毛剤を収容した場合には、育毛・発毛剤容器を小型化することができ、旅行等の携帯に便利である。また、前記育毛・発毛剤容器を使い捨てにした場合には、塗布体を長い期間にわたって使用することがないため、衛生的である。
【００１５】
前記袋状のフィルム容器本体２は、少なくとも空気や水分、光を遮断し、内部の育毛・発毛剤を変質させないものであれば良く、例えば、内側にポリプロピレン、外側にポリエステル（ＰＥＴ）といった合成樹脂やアルミ箔を積層加工（ラミネート加工）した、可撓性を有するフィルムを用いることができる。
尚、フィルム容器本体２の少なくとも内面が、熱可塑性材料で構成された可撓性を有するフィルムから構成されている場合には、熱シールにより容易に袋状に形成することができるため好ましい。また、前記熱可塑性樹脂フィルムと、例えばアルミニウムフィルムなどの金属フィルムからなる複合積層フィルムを用いることが、ガスバリアー性の点から好ましい。
【００１６】
また、前記フィルム容器本体２を袋状になす方法は一般的な方法を用いることができる。例えば、前記した熱シールのほか、可撓性を有するフィルムを２つ折りにして重ね合わせ、その周縁部を互いに接着して形成する、あるいは２枚のフィルムを重ね合わせ、その周縁部を接着することにより、袋状に形成することができる。
【００１７】
また、前記塗布部本体３は、図２、図３に示すように、全体として円筒状に形成され、円筒状の塗布部本体３の内部空間３ａが育毛・発毛剤の導出流路となる。前記塗布部本体３の後部側には、前記フィルム容器本体２の開口部２ａに挿入される挿入部３ｂが形成されている。
また、前記塗布部本体３の略中間部分には、前記フィルム容器本体２の開口部２ａの端面と当接する鍔部３ｃが形成されている。前記塗布部本体３の先端部には、前記塗布体５を取り付けるための凹部３ｄが形成されている。
【００１８】
前記固定部材４は円筒状に形成されている。
そして、前記塗布部本体３の挿入部３ｂを前記フィルム容器本体２内に挿入した後、前記フィルム容器本体２を介して、前記塗布部本体３に固定部材４を嵌合させる。
この塗布部本体３と固定部材４の嵌合により、前記塗布部本体３と前記固定部材４の間に前記フィルム容器本体２を挟み込み、前記塗布部本体３と前記フィルム容器本体２を一体化するように構成されている。
尚、前記フィルム容器本体２と前記塗布部本体３の間、また前記フィルム容器本体２と前記固定部材４の間は接着剤で固定しても良いが、少なくとも空気、水分、光を遮断し、内部の育毛・発毛剤を変質させないものであることが望ましい。
【００１９】
前記塗布体５は、円柱状の多孔質焼結体からなり、先端部５ａは断面円弧状の球面に形成されている。尚、前記多孔質焼結体は、前記フィルム容器本体２側の底面部５ｂから断面円弧状の球面に先端部５ａに至る、連通した気孔（図示せず）を有している。この気孔は、一つの孔によって底面部５ｂから先端部５ａまで連通し、あるいは複数の気孔が結合し、底面部５ｂから先端部５ａまで連通したものであっても良い。この底面部５ｂから先端部５ａに至る気孔（連通孔）が育毛・発毛剤の導出流路となる。
また、前記塗布体５は、例えば、多孔質セラミックス焼結体、多孔質焼結金属体等を用いることができる。前記前記塗布体５の気孔率、気孔径は、育毛・発毛剤の塗布量、塗布体５の機械的強度等を考慮して定められる。
【００２０】
前記育毛・発毛剤容器１を使用する際には、図４に示すように、キャップ６を塗布部本体３から取り外し、塗布体５を頭皮に当てる。そして、前記フィルム容器本体２を押圧することにより、育毛・発毛剤を塗布体５から導出し、頭皮に育毛・発毛剤を塗布する。塗布後（使用完了後）、前記フィルム容器本体２を廃棄する。
【００２１】
このように、前記育毛・発毛剤容器１の塗布体５が多孔質焼結体で形成され、かつ前記多孔質焼結体の気孔が育毛・発毛剤の導出流路として用いられるため、必要以上に育毛・発毛剤が流出することがなく、液だれを抑制することができる。しかも、フィルム容器本体２が可撓性を有する材料で形成されているため、フィルム容器本体２を押圧あるいは屈曲させることにより、多孔質焼結体からなる塗布体５から育毛・発毛剤の導出させることができ、頭皮への負担を抑制することができる。
【００２２】
また、前記育毛・発毛剤容器１は、例えば、１回あるいは１日、または１週間分の少量の育毛・発毛剤が収容されている。そのため、従来の容器に比べて、育毛・発毛剤容器の容器を小型化することができ、旅行等の携帯に便利である。
また、塗布体５が、従来容器の場合に比べて、長い期間使用されないため（１回あるいは１日、または１週間と短期間の使用であるため）、衛生的な状態で使用することができる。
【００２３】
次に、本発明にかかる育毛・発毛剤容器の第２の実施形態を図５乃至図１０に基づいて説明する。この実施形態にかかる育毛・発毛剤容器１０は、塗布具２０を用いて育毛・発毛剤を頭皮に塗布する容器である。
この育毛・発毛剤容器１０は、図５、図６に示すように、円筒状の容器本体１１と、前記容器本体１１の後端部１１ａに嵌合して取り付けられた弁座１２と、前記弁座１２に形成された空気流入孔１２ａを閉塞、開放する球状の弁体１３と、前記容器本体１１の先端部１１ｂに嵌合して取り付けられた多孔質焼結体からなる塗布体１４と、前記塗布部１４を覆い、前記円筒状の容器本体１に嵌合するキャップ１５とを備えている。
【００２４】
容器本体１１の材質は、少なくとも空気や水分、光を遮断し、内部に貯留される育毛・発毛剤を変質させないものであれば、特に限定されないが、例えば、合成樹脂を用いることができる。
また、この実施形態の場合、塗布具２０を用いて育毛・発毛剤を頭皮に塗布するため、頭皮に押し当てた状態で屈曲など変形しない程度の強度が必要となる。
そして、前記容器本体１１の内容積が、例えば、１回分あるいは１日分、または１週間分の育毛・発毛剤が収容される容積に形成されている。
【００２５】
前記弁座１２は、図７に示すように、その中央部分に空気流入孔１２ａが形成されている。
前記空気流入孔１２ａは、後端部側から先端部側に向かって円錐状に拡開して形成されている。即ち、空気流入孔１２ａを形成する弁座１２の内壁面１２ｃが、先端部側に向かって円錐状に拡開して形成されている。
このように、弁座１２の内壁面１２ｃが後端部側から先端部側に向かって円錐状に拡開して形成されているため、弁体１３の開放後、前記容器本体１１の後端部側を下に向ける（塗布体１４を上に向ける）と、弁体１３が小径部分の空気流入孔１２ａ１を閉じるため、育毛・発毛剤の流出を防止することができる。
【００２６】
また、前記弁座１２の後端部外周面にはねじ部１２ｂが形成され、前記ねじ部１２ｂは前記容器本体１１の外部に露出し、塗布具２０の容器受け体２２と螺合するように構成されている。尚、前記弁座１２は、前記容器本体１１の後端部１１ａに嵌合して取り付けられる材質、例えば、合成樹脂、金属等を用いることができる。
また、前記弁体１３は合成樹脂、金属によって、球形状に形成されている。
【００２７】
前記塗布体１４は、円柱状の多孔質焼結体からなり、先端部１４ａは断面円弧状の球面に形成されている。また塗布体１４の後端部１４ｂ側には、後端部１４ｂ側が開放した凹部１４ｃが形成されている。
また、前記多孔質焼結体は、第１の実施形態と同様に、前記凹部１４ｃの内表面から先端部１４ａに至る気孔（連通孔）を有している。この連通孔が育毛・発毛剤の導出流路となる。
また、前記塗布体１４は、第１の実施形態と同様に、例えば、多孔質セラミックス焼結体、多孔質焼結金属体等を用いることができる。前記前記塗布体５の気孔率、気孔径は、育毛・発毛剤の塗布量、塗布体５の機械的強度等を考慮して定められる。
【００２８】
次に、前記育毛・発毛剤容器１０が用いられる塗布具２０について説明する。
この塗布具２０は、円筒状の軸筒２１と、前記育毛・発毛剤容器１０と接続され、前記空気流入孔１２ａを開放する容器受け体２２と、前記軸筒２１の後端部を閉塞する尾栓２３と、一端部が前記容器受け体２２に当接し、他端部が尾栓２３に当接するスプリング２４とを備えている。
【００２９】
前記容器受け体２２の先端側には、図６、図７に示すように凹部２２ａが設けられ、前記凹部２２ａの内周面にねじ部２２ｂが形成されている。前記容器受け体２２の後端側には凹部２２ｃが設けられ、前記スプリング２４の一部が収容されるように構成されている。
前記凹部２２ａの中央部分には、容器受け体２２の先端面から突出した針部２２ｄが形成されている。また前記容器受け体２２の後端部（凹部２２ｃ底面）から前記針部２２ｄを貫通する貫通孔２２ｅが形成されている。
【００３０】
更に、前記容器受け体２２の外周面から突出し、周方向に延設されたにシール部２２ｆが形成されている。このシール部２２ｆのシール面２２ｆ１が軸筒２１の内周面に形成されたシール面２１ａに密着することにより、尾栓２３、容器受け体２２、軸筒２１で形成される空間Ａを密閉する。
一方、シール部２２ｆのシール面２２ｆ１が、軸筒２１のシール面２１ａから離れることにより、軸筒２１の内周面と容器受け体２２の外周面の間を通って、前記空間Ａ内に空気が流入する（空間Ａが開放される）ように構成されている。
【００３１】
次に、図６、図９、図１０に基づいて、前記育毛・発毛剤容器２０の使用方法について説明する。
育毛・発毛剤容器２０を使用する際には、図６に示すように、育毛・発毛剤容器２０の弁座１２側を軸筒２１内に挿入し、前記ねじ部１２ｂとねじ部２２ｂを螺合させる。この螺合によって、図９に示すように、針部２２ｄは弁体１３を容器本体１１内に押し込み、貫通孔２２ｅと空気流入孔１２ａを連通させる。
【００３２】
そして、キャップ１５を容器本体１１から取り外し、図１０に示す状態になし、塗布体１４を頭皮に当てる。前記軸筒２１を持って頭皮に押圧することにより、シール部２２ｆのシール面２２ｆ１が、軸筒２１のシール面２１ａから離れ、前記空間Ａが開放される。
その結果、育毛・発毛剤が塗布体１４から導出され、頭皮に育毛・発毛剤が塗布される。塗布完了後（使用完了後）、前記育毛・発毛剤容器２０を廃棄する。
【００３３】
このように、前記育毛・発毛剤容器１０の塗布体１４が多孔質焼結体で形成され、かつ前記多孔質焼結体の気孔が育毛・発毛剤の導出流路として用いられるため、第１の実施形態と同様に、必要以上に育毛・発毛剤が流出することがなく、液だれを抑制することができる。
【００３４】
また、前記育毛・発毛剤容器１０は、第１の実施形態と同様に、例えば、１回あるいは１日、または１週間分の少量の育毛・発毛剤が収容されている場合には、従来の容器に比べて、育毛・発毛剤容器の容器を小型化することができ、旅行等の携帯に便利である。また、塗布体１４が長い期間にわたって使用されないため、衛生的な状態で使用することができる。
【符号の説明】
【００３５】
１        育毛・発毛剤容器
２        容器本体
３        塗布部本体
４        固定部材
５        塗布体
６        キャップ
１０      育毛・発毛剤容器
１１      弁座
１３      弁体
１４      塗布体
１５      キャップ
２０      塗布具
２１      軸筒
２２      容器受け体
２３      尾栓
２４      スプリング
【図１】
2015208407.tif 000003
【図２】
2015208407.tif 000004
【図３】
2015208407.tif 000005
【図４】
2015208407.tif 000006
【図５】
2015208407.tif 000007
【図６】
2015208407.tif 000008
【図７】
2015208407.tif 000009
【図８】
2015208407.tif 000010
【図９】
2015208407.tif 000011
【図１０】
2015208407.tif 000012